(57)【要約】【課題】放送されるテレビ映像データを記憶ユニットに録画する放送映像録画装置に関し、録画指定する前の放送映像を録画する。【解決手段】放送された映像データをＦＩＦＯ形式で記憶する第１の記憶ユニット２と、再生されるべき映像データを記憶する第２の記憶ユニット３と、指定された映像データを前記第１の記憶ユニットから探索した後、前記指定された映像データを前記第２の記憶ユニットに記憶するための制御ユニット５とを有する。常時放送映像を第１の記憶ユニット２に記憶しておき、録画したい時点で、第１の記憶ユニット２に記憶していた放送映像を第２の記憶ユニット３に記憶する。このため、放送途中でも、過去に遡って録画することができる。【選択図】　　　　図１
2004007605.tif 000002
【特許請求の範囲】
【請求項１】
放送映像データを録画する放送映像録画装置において、
放送された映像データを記憶する第１の記憶ユニットと、
再生されるべき映像データを記憶する第２の記憶ユニットと、
指定された映像データを前記第１の記憶ユニットから探索した後、前記指定された映像データを前記第２の記憶ユニットに記憶するための制御ユニットとを有し、
前記第１の記憶ユニットは、
前記入力された映像データを、ＦＩＦＯ形式で、記憶することを
特徴とする放送映像記憶装置。
【請求項２】
請求項１の放送映像録画装置において、
前記第１の記憶ユニットは、
前記複数チャンネルの映像データを記憶することを
特徴とする放送映像記憶装置。
【請求項３】
請求項１の放送映像録画装置において、
前記再生されるべき映像データを指定するための指定手段を有することを
特徴とする放送映像録画装置。
【請求項４】
請求項３の放送映像録画装置において、
前記指定手段は、ユーザーにより操作される手段を含むことを
特徴とする放送映像録画装置。
【請求項５】
請求項３の放送映像録画装置において、
前記指定手段は、ユーザーの録画状況を記憶したリストから前記再生されるべき映像データを決定する手段を有することを
特徴とする放送映像録画装置。
【発明の詳細な説明】
【０００１】
【発明の属する技術分野】
本発明は、放送されるテレビ映像データを記憶ユニットに録画する放送映像録画装置に関する。
【０００２】
近年のテレビジョンとコンピュータとの融合の動きや、デジタル放送における多チャンネル化の傾向などに見られるように、テレビ映像にデジタル化の波が押し寄せてきている。従来のアナログ放送１チャンネルの帯域で、デジタルの放送では、４ー８チャンネルの伝送が可能であり、利用コストの低下が見込まれる。又、映像のデジタル化により、画像の高画質化が可能となる。更に、衛星放送、地上波放送、ケーブルテレビ放送、インターネット等の様々な情報源からのデジタル映像情報の入手が可能となる。このため、その映像を録画するシステムにも、多様化が求められている。
【０００３】
【従来の技術】
図１５は、従来技術の説明図である。
【０００４】
放送局のサービスと結び付いたデジタル映像の録画システムが提案されている。例えば、ＮＨＫ放送技研は、総合サービス型テレビ（ＩＳＴＶ；Ｉｎｔｅｇｒａｔｅｄ　Ｓｅｒｖｉｃｅｓ　ＴＶ）を提案している。このＩＳＴＶは、ホームサーバ技術が利用されている。ＩＳＴＶでは、放送局から送られてくるニュース、天気予報、番組、番組ガイド等の様々な情報をＴＶ側で、ユーザーの指定に基づいて自動選択して録画する。そして、録画した映像をユーザーが見たい時に、いつでも見れるようにしたものである。
【０００５】
ＩＳＴＶのサービスの機能は、次の通りである。ニュース、テレビ新聞、番組等の一括自動受信する第１の機能である。この機能は、放送局が一定時刻に送信した情報を一括受信して、好きな時に視聴するものである。第２の機能は、定時・一定間隔に放送されるニュース・天気予報などを自動更新するものである。
【０００６】
第３の機能は、興味あるジャンル・テーマ・出演者などを指定しておくと、番組・情報に付加されるインデックス情報から自動的に判断して、選択蓄積するものである。
【０００７】
これらの録画システムのプロセスを、図１５により説明する。
【０００８】
（Ｓ１）最初に、ユーザーが録画したい番組を手動で指定する。
【０００９】
（Ｓ２）放送映像が入力される。
【００１０】
（Ｓ３）ステップＳ１の指定に従い、入力映像の中から録画する番組を選択する。録画する時は、ステップＳ４に進む。録画しない時は、ステップＳ２に戻る。
【００１１】
（Ｓ４）指定された番組を録画する。
【００１２】
（Ｓ５）再生を指定する。再生を指定しない時は、ステップＳ２に戻る。
【００１３】
（Ｓ６）録画した番組を再生する。これにより、録画映像を見ることができる。
【００１４】
このように、従来の録画装置は、ユーザーの指定後の映像の録画が可能であった。
【００１５】
【発明が解決しようとする課題】
従来の放送映像録画装置では、過去に遡って録画することができなかった。例えば、録画するタイミングを逸して、既に録画したい番組が始まってしまった場合や、番組を最後まで見た後、録画してもう一度見たいと思った場合である。
【００１６】
このような場合には、従来の録画装置では、録画することができないという問題があった。
【００１７】
本発明の目的は、録画指定する前の放送映像を録画することができる放送映像録画装置を提供するにある。
【００１８】
本発明の他の目的は、過去に遡って放送映像を録画することができる放送映像録画装置を提供することにある。
【００１９】
【課題を解決するための手段】
この目的の達成のため、本発明の放送映像録画装置は、放送された映像データを記憶する第１の記憶ユニットと、再生されるべき映像データを記憶する第２の記憶ユニットと、指定された映像データを前記第１の記憶ユニットから探索した後、前記指定された映像データを前記第２の記憶ユニットに記憶するための制御ユニットとを有し、前記第１の記憶ユニットは、入力された映像データをＦＩＦＯ形式で記憶することを特徴とする。
【００２０】
本発明では、常時放送映像を第１の記憶ユニットに記憶しておき、録画したいと指定した時点で、第１の記憶ユニットに記憶していた放送映像を第２の記憶ユニットに記憶するようにした。このため、過去に遡って録画することができる。又、時間が少々予定より変わっても、変わった時点で、第１の記憶ユニットから第２の記憶ユニットに、放送映像を移せばよいので、所望の録画をすることができる。又、第１の記憶ユニットがＦＩＦＯ形式のため、第２の記憶ユニットへの記録を、番組途中から行うことができる。
【００２１】
【発明の実施の形態】
図１は、本発明の原理図である。
【００２２】
受信ユニット１は、放送映像を受信する。一次記憶ユニット（第１の記憶ユニット）２は、受信された放送映像を全て記憶する。二次記憶ユニット（第２の記憶ユニット）３は、一次記憶ユニット２に記憶された放送映像の内、指定された放送映像を記憶する。リクエストユニット４は、放送映像を手動により指定するためのものである。例えば、リクエストユニット４は、再生ボタン、チャンネル及び時間指定のための数値キーとを有する。
【００２３】
制御ユニット５は、受信された放送映像を記憶するように、一次記憶ユニット２を制御する。そして、制御ユニット５は、リクエストユニット４の指定に応じて、指定された放送映像を記憶するように、二次記憶ユニット３を制御する。更に、制御ユニット５は、リクエストユニット４の再生指示に応じて、二次記憶ユニット３の映像を再生する。
【００２４】
図２は、本発明の一実施の形態のブロック図、図３は、図２の一次記憶処理フロー図、図４は、図２の二次記憶処理フロー図、図５は、図２の管理テーブルの説明図、図６は、図２の録画動作の説明図である。
【００２５】
図２に示すように、一次記憶ユニット（メモリ）２は、ハードディスクユニットで構成されている。二次記憶ユニット（メモリ）３は、光ディスクユニットで構成されている。
【００２６】
制御ユニット５は、プロセッサーで構成されている。全体制御部１０は、一次記憶アドレス制御部１２及び二次記憶アドレス制御部１３を制御して、一次記憶処理、二次記憶処理及び再生処理を実行する。タイマー１１は、時刻を計時する。一次記憶アドレス制御部１２は、一次記憶ユニット２の録画アドレス／再生アドレスを制御する。
【００２７】
二次記憶アドレス制御部１３は、二次記憶ユニット３の録画アドレス／再生アドレスを制御する。一次記憶管理テーブル１４は、一次記憶ユニット２の録画アドレスと時刻を記憶する。二次記憶管理テーブル１５は、二次記憶ユニット３の録画アドレスと時刻を記憶する。
【００２８】
視聴／再生履歴部１６は、リクエストユニット４からの視聴リクエスト／再生リクエストの履歴を保持する。自動録画指定部１７は、視聴／再生履歴部１６の履歴に応じて、自動的に録画を指定する。
【００２９】
これら各部１０〜１３、１６、１７は、制御部５の機能をブロックにして表したものである。
【００３０】
先ず、全体制御部１０は、タイマー１１、一次記憶アドレス制御部１２、一次記憶管理テーブル１４を使用して、常時入力される映像データを一次メモリ２に記憶する。全体制御部１０は、ユーザーの要求の有無に関わらず、タイマー１１に同期して、一次記憶の録画アドレスをインクリメントし、映像データを、一次メモリ２にＦＩＦＯ形式で記憶する。図３のフローチャートに従い、詳細に説明する。
【００３１】
（Ｓ１１）初期設定として、一次メモリ２の録画（ライト）アドレスｎｗを「０」にセットする。時刻ｔをタイマー１１の時刻ｔ’にセットする。
【００３２】
（Ｓ１２）分刻みで、１分毎の映像データを、１次メモリ２のライトアドレスｎｗに録画する。尚、１分間の映像データは、ＭＰＥＧ２の場合、約６０ＭＢである。
【００３３】
（Ｓ１３）録画状況を管理するため、１次記憶管理テーブル１４に、図５に示すように、時刻ｔ及びライトアドレスｎｗを格納する。
【００３４】
（Ｓ１４）タイマー１１に同期して、時刻ｔをインクリメントし、ライトアドレスｎｗをインクリメントする。
【００３５】
（Ｓ１５）ＦＩＦＯ（Ｆｉｒｓｔ　Ｉｎ　Ｆｉｒｓｔ　Ｏｕｔ）形式のメモリを形成するため、ライトアドレスｎｗが、一次メモリ２の最大アドレスＮを越えたかをチェックする。ライトアドレスｎｗが、最大アドレスＮを越えていないと、ステップＳ１２に戻る。
【００３６】
（Ｓ１６）ライトアドレスｎｗが、最大アドレスＮを越えていると、ＦＩＦＯ形式のメモリを形成するため、ライトアドレスｎｗを「０」に戻す。そして、ステップＳ１２に戻る。
【００３７】
このようにして、一次メモリ２に、放送された映像データを常時記憶する。そして、映像データをＦＩＦＯ形式で記憶する。
【００３８】
次に、１次メモリ２に録画された映像データを、録画要求（リクエスト）に応じて選択的に、２次メモリ３に取り込む。このため、全体制御部１０は、タイマー１１、１次記憶アドレス制御部１２、１次記憶管理テーブル１４、２次記憶アドレス制御部１３、２次記憶管理テーブル１５を使用する。図４により、詳細に説明する。
【００３９】
（Ｓ２１）初期設定として、１次メモリ２の再生（リード）アドレスを、ｎｒとする。又、２次メモリ３の録画（ライト）アドレスｎｗ’を「０」に設定する。
【００４０】
（Ｓ２２）全体制御部１０は、リクエストユニット４からの２次録画要求があるかを判断する。
【００４１】
（Ｓ２３）ユーザーは、２次録画するため、１次録画の開始時刻ｔｓ、終了時刻ｔｅをリクエストユニット４から指定する。この時刻ｔｓ、ｔｅを、２次記憶管理テーブル１５に保持する。
【００４２】
（Ｓ２４）既に、１次録画されているかを確認するため、１次記憶管理テーブル１４に、開始時刻ｔｓとそれに対応する録画（ライト）アドレスｎｗが保持されているかを調べる。開始時刻ｔｓとライトアドレスｎｗが保持されていなければ、まだ録画されていないとして、ステップＳ２５に進む。一方、開始時刻ｔｓとライトアドレスｎｗが保持されていれば、既に録画されているとして、ステップＳ２６に進む。
【００４３】
（Ｓ２５）１分待って、ステップＳ２４に戻る。
【００４４】
（Ｓ２６）１次再生（リード）アドレスｎｒを、１次記憶管理テーブル１４に保持されている録画（ライト）アドレスｎｗに設定する。
【００４５】
（Ｓ２７）図５に示すように、１分間の映像データを、１次メモリ２から２次メモリ３に録画するため、１次再生（リード）アドレスｎｒのデータを２次録画（ライト）アドレスｎｗ’に録画する。
【００４６】
（Ｓ２８）図５に示すように、時刻ｔｓ、２次録画（ライト）アドレスｎｗ’、録画の有無を、２次記憶管理テーブル１５に保持する。
【００４７】
（Ｓ２９）タイマー１１に同期して、時刻ｔｓ、一次再生（リード）アドレスｎｒ、２次録画（ライト）アドレスｎｗ’を各々「＋１」インクリメントする。
【００４８】
（Ｓ３０）２次録画（ライト）アドレスｎｗ’が、２次メモリ３の最大アドレスＮ’を越えているかチェックする。２次録画（ライト）アドレスｎｗ’が、最大アドレスＮ’を越えていれば、ステップＳ３１に進む。２次録画（ライト）アドレスｎｗ’が、最大アドレスＮ’を越えていなければ、ステップＳ３２に進む。
【００４９】
（Ｓ３１）２次録画（ライト）アドレスｎｗ’を「０」に戻す。
【００５０】
（Ｓ３２）時刻ｔｓが、録画終了時刻ｔｅを越えたかチェックする。時刻ｔｓが、録画終了時刻ｔｅを越えていれば、要求された録画が終了し、ステップＳ２２に戻る。時刻ｔｓが、録画終了時刻ｔｅを越えていなければ、要求された録画が終了していないため、ステップＳ２４に戻る。
【００５１】
このようにして、ユーザーにより、指定された開始時刻及び終了時刻の番組を、１次メモリ２から２次メモリ３に移す。
【００５２】
図５及び図６は、１次メモリ２からの再生と、２次メモリ３への録画の様子を示す。１次メモリ２では、アドレスをサイクリックに回すことにより、ＦＩＦＯの形式で、データを記憶する。１次メモリ２にアドレスｎに録画している間に、以前録画されたデータを再生する。再生開始から再生終了まで、１分毎に随時、１次メモリ２から２次メモリ３へ録画される。
【００５３】
例えば、１次記憶管理テーブル１４、２次記憶管理テーブル１５には、各２時間分のデータを保持できる。現時刻を９：１６として、１次記憶メモリ２に２時間前の７：１６に録画されたデータを、オーバーライトしていると仮定する。図５は、その時に、９：０１〜９：１４の１４分間のデータの１次再生、２次録画要求が発生している場合を示している。
【００５４】
２次記憶管理テーブル１５では、時刻、２次録画アドレスと、録画の有無を保持する。録画の有無により、オーバーライトするかしないかの目安とする。又、図５に示すように、録画テーブル１５ー１に、録画名、時間、２次録画アドレスの範囲を保持している。これにより、録画していない残りの部分などの把握に利用する。
【００５５】
図５では、現時刻９：１６の録画に対し、１５分前（過去）の９：０１からのデータを１次再生、２次録画していることを示す。１次録画から見ると、１５分間の時間差録画と言える。又、１次再生データをそのまま再生出力する場合には、１５分前の映像を見ることができる時間差再生を実現する。これは、視聴する時間がたとえ遅れても、遅れた時間だけずれて見ることができることを示す。
【００５６】
尚、２次メモリ３の録画データは、リクエストユニット４からの再生要求に応じて、再生される。
【００５７】
図７は、本発明の他の録画動作の説明図である。図７では、１次再生終了時点が、１次録画時点より後である場合を示している。図５の実施例と比較して、次の２点が異なる。第１に、図５の例では、１次再生開始から１次再生終了まで、時間に同期して（時間差録画）していた。これに対し、図７の例では、１次録画中の手前（１次録画済）までのデータを纏めて、１次再生、２次録画する。これにより、２次録画時間の短縮を実現できる。
【００５８】
第２点は、図５の例では、２次録画は、１次録画に対し、時間差分遅れる。これに対し、図７の例では、１次録画中から以降、１次再生終了までは、１次録画と２次録画が同時に行われる。このため、２次録画も再生終了時刻に終わることができる。
【００５９】
図７の処理は、図４に示したステップＳ２６〜Ｓ２９の処理を、録画中は、時間に同期しないで一気に行う。又、録画中以降は、時間に同期して行うようにすれば良い。但し、１次録画の能力よりも、２次録画の能力が高いことを前提とする。
【００６０】
図８は、図２に示した視聴／再生履歴部１６、自動録画指定部１７の処理フロー図、図９は、そのリスト更新処理フロー図、図１０乃至図１２は、リスト処理の説明図、図１３は、そのリスト更新動作の説明図である。図８により、自動指定処理を説明する。
【００６１】
（Ｓ４１）リクエストユニット４からの視聴／再生リクエスト（手動）を受ける。
【００６２】
（Ｓ４２）この視聴／再生要求を、図９以下で説明するリストに登録する。この場合、視聴／再生要求に従い、リストの削除／更新を行う。
【００６３】
（Ｓ４３）リストの上位（例えば、上位５番組）を指定する。
【００６４】
このようにして、ユーザーの視聴／再生の状況に対応して、リストを作る。そして、リストの削除／更新を続ける。このリストを基に、ユーザーの見たい映像を自動的に録画指定する。
【００６５】
図９により、図８のリスト更新処理について、説明する。
【００６６】
（Ｓ５１）視聴／再生リクエストが、リストへの登録状況からリストへの新規登録かどうかを調べる。新規登録の場合、ステップＳ５２に進む。新規登録でない場合には、ステップＳ５５に進む。
【００６７】
（Ｓ５２）リストの登録スペースが一杯かどうかを調べる。リストが一杯なら、ステップＳ５３に進む。リストが一杯でなければ、ステップＳ５４に進む。
【００６８】
（Ｓ５３）登録スペースが一杯のため、リストの最下位の情報を削除する。
【００６９】
（Ｓ５４）リストに新規登録する。この登録方法については、図１０乃至図１３により後述する。
【００７０】
（Ｓ５５）リストを更新する。更新方法については、図１０乃至図１３により後述する。
【００７１】
図１０乃至図１２は、３つのリストの例を示す。各リストは、順位と、曜日、チャンネル、開始時間、終了時間、番組名、出演者名、ジャンルを格納する。
【００７２】
図１０では、ＭＴＦ（Ｍｏｖｅ　Ｔｏ　Ｆｒｏｎｔ）という手法を用いる。図１３にも示すように、新規登録された番組は、リストの最上位に登録する。又、更新の場合にも、リストの最上位に移動する。この方法は、常に最も新しく視聴／再生された番組を最優先に指定できる。頻度をカウントしなくても良い。比較的傾向が短期間に変化し易い場合に有効な方法である。
【００７３】
図１１では、Ｔｒａｎｓｐｏｒｔという手法を用いる。図１３にも示すように、新規登録された番組は、リストの最下位に登録する。又、更新の場合には、隣接する上位の番組と入れ換える。頻度をカウントしなくても良い。比較的傾向が長い期間にあまり変化しない場合に有効な方法である。
【００７４】
図１２では、図１３にも示すように、新規登録された番組は、常にリストの再下位に登録する。更新の場合は、視聴／再生の頻度を計算して、頻度に応じて、リストを入れ換える。この方法は、頻度の計算が必要であるが、ユーザーの好みを正確に掴むことができる。
【００７５】
このようにして、ユーザーによる手動指定とユーザーの手を借りない自動予測による指定とができる。ユーザーによる自動指定では、従来と同様に、曜日、時間、チャンネルによる指定や、Ｇコード、ＥＰＧ（番組情報）等を使って、番組、出演者等から選択指定することもできる。
【００７６】
又、ユーザーの手を借りない自動予測では、ユーザーの今までの視聴状況や２次録画状況をリストに持つ。そして、ユーザー指定で説明したパラメータ別に見た統計的性質から録画指定の自動予測を行う。例えば、最も確率の高い順から上位５番までを録画指定する。
【００７７】
図１４は、本発明の他の実施の形態のブロック図である。図１４では、図２に示したものと同一のものは、同一の記号で示してある。一次メモリ２０〜２２は、各チャンネル毎に設けられ、各チャンネルの映像データを一次記憶する。この例では、同時刻の複数のチャンネルの映像データを、同時に取り込むことができる。
【００７８】
同様に、１つの１次メモリ２が、複数チャンネルの映像データを同時に１次記憶できる能力を持つ場合には、複数チャンネルの映像データを同時に取り込むことができる。この場合に、映像データを削除する時に、最も時間的に古い映像データを削除する。
【００７９】
又、複数チャンネルの映像データで、開始時刻が同一の場合には、終了時刻が古いものから削除する。即ち、録画時間が短いものから削除する。これにより、最新情報を確保できる。別の方法として、終了時刻が新しいものから削除する。即ち、録画時間の長いものから削除する。これにより、一次メモリ２の容量を確保できる。更に別の方法として、単純にリストの古い順から削除することも考えられる。又、リストにより、番組の重要度から、重要度の低いものを先に削除しても良い。
【００８０】
これと同様に、複数チャンネルの映像データで、開始時刻が同一の場合の２次メモリの新規の録画方法として、終了時間の古いものから録画する。即ち、録画時間が短いものから録画する。別の方法として、終了時刻が新しいものから録画する。即ち、録画時間の長いものから録画する。更に別の方法として、単純にチャンネルの若いものから録画することも考えられる。又、リストにより、番組の重要度から、重要度の高いものを先に録画しても良い。
【００８１】
上述の実施の態様の他に、本発明は、次のような変形が可能である。
【００８２】
（１）前述の実施の態様では、１次メモリ、２次メモリを、磁気ディスク装置、光ディスク装置で説明したが、デジタルビデオディスク装置やビデオテープ装置等も利用できる。
【００８３】
（２）２次録画の指定方法として、手動による方法と自動指定する方法のいずれも可能な装置で説明したが、いずれかが可能である装置や、スイッチによりいずれかを選択的に可能とする装置に適用しても良い。
【００８４】
以上、本発明を実施の形態により説明したが、本発明の主旨の範囲内で種々の変形が可能であり、これらを本発明の範囲から排除するものではない。
【００８５】
【発明の効果】
以上説明したように、本発明によれば、次の効果を奏する。
【００８６】
（１）常時放送映像を第１の記憶ユニットに記憶しておき、録画したいと指定した時点で、第１の記憶ユニットに記憶していた放送映像を第２の記憶ユニットに記憶する。このため、過去に遡って録画することができる。
【００８７】
（２）又、時間が少々予定より変わっても、変わった時点で、第１の記憶ユニットから第２の記憶ユニットに、放送映像を移せばよいので、所望の録画をすることができる。第１の記憶ユニットがＦＩＦＯ形式のため、番組途中から第２の記憶ユニットへの格納を開始できる。
【図面の簡単な説明】
【図１】本発明の原理図である。
【図２】本発明の一実施の形態のブロック図である。
【図３】図２の一次記憶処理フロー図である。
【図４】図２の二次記憶処理フロー図である。
【図５】図２の管理テーブルの説明図である。
【図６】図２の録画動作の説明図である。
【図７】図２の他の録画動作の説明図である。
【図８】図２の自動指定処理フロー図である。
【図９】図８のリスト更新処理フロー図である。
【図１０】図９のリスト処理の説明図（その１）である。
【図１１】図９のリスト処理の説明図（その２）である。
【図１２】図９のリスト処理の説明図（その３）である。
【図１３】図９のリスト更新動作の説明図である。
【図１４】本発明の他の実施の形態のブロック図である。
【図１５】従来技術の説明図である。
【符号の説明】
１　受信装置
２　一次記憶ユニット
３　二次記憶ユニット
４　リクエストユニット
５　制御ユニット
１０　全体制御部
１１　タイマー
１２　一次記憶アドレス制御部
１３　二次記憶アドレス制御部
１４　一次記憶管理テーブル
１５　二次記憶管理テーブル
１６　視聴／再生履歴部
１７　自動指定部
【図１】
2004007605.tif 000003
【図２】
2004007605.tif 000004
【図３】
2004007605.tif 000005
【図４】
2004007605.tif 000006
【図５】
2004007605.tif 000007
【図６】
2004007605.tif 000008
【図７】
2004007605.tif 000009
【図８】
2004007605.tif 000010
【図９】
2004007605.tif 000011
【図１０】
2004007605.tif 000012
【図１１】
2004007605.tif 000013
【図１２】
2004007605.tif 000014
【図１３】
2004007605.tif 000015
【図１４】
2004007605.tif 000016
【図１５】
2004007605.tif 000017